(57)【要約】  【課題】  使用者の負担を軽減するとともに設置場所の確保を容易にして利便性の高い冷蔵庫を提供するとともに、安全性を向上できる冷蔵庫を提供する。  【解決手段】  冷却器１７による冷却とヒータ１５による加熱とによって貯蔵物を冷却保存する低温側と加熱食品を保温する高温側とに室内温度を切り替えできる温度切替室３を備えた冷蔵庫１において、温度切替室３の扉９に透明部材から成る窓１２１を設け、温度切替室３を低温側にした際に発色するとともに高温側にした際に消色して発色状態を可変する可逆変色層１２５を有した発色可変部１１０を窓１２１に設けた。【選択図】      図４
2007064587.tif 000002
【特許請求の範囲】
【請求項１】
冷却器による冷却とヒータによる加熱とによって低温側と高温側とに室内温度を切り替えできる温度切替室を備えた保存庫において、前記温度切替室を開閉する扉を有し、前記温度切替室の温度に応じて発色状態を可変する発色可変部を前記扉に設けたことを特徴とする保存庫。
【請求項２】
前記発色可変部は、前記温度切替室が所定温度よりも低温の時に発色または消色し、所定温度よりも高温の時に消色または発色することを特徴とする請求項１に記載の保存庫。
【請求項３】
前記発色可変部は、前記温度切替室が所定温度よりも低温の時に第１の色を発色し、所定温度よりも高温の時に第２の色を発色することを特徴とする請求項１に記載の保存庫。
【請求項４】
前記発色可変部は、前記温度切替室が所定温度よりも低温の時に第１の色を発色し、前記所定温度よりも高温でかつ一定の温度範囲内の時に消色し、該温度範囲よりもさらに高温の時に第２の色を発色することを特徴とする請求項１に記載の保存庫。
【請求項５】
前記扉に透明な窓を設けて前記発色可変部を前記窓に配置し、前記発色可変部は前記温度切替室を高温側にした際に通電されるヒータ層と、前記ヒータ層に積層されるとともに前記ヒータ層の温度に応じて可逆的に変色する可逆変色層とを有することを特徴とする請求項１〜請求項４のいずれかに記載の保存庫。
【請求項６】
前記扉に透明な窓を設け、前記発色可変部は、前記窓の背面に設けられるとともに前記温度切替室内の温度に応じて可逆的に変色する可逆変色層を有することを特徴とする請求項１〜請求項４のいずれかに記載の保存庫。
【請求項７】
前記扉に設けられる透明な窓と、前記窓の背後に空隙を介して配される透明の遮蔽板とを備え、前記発色可変部は、前記遮蔽板に設けられるとともに前記温度切替室内の温度に応じて可逆的に変色する可逆変色層を有することを特徴とする請求項１〜請求項４のいずれかに記載の保存庫。
【請求項８】
前記可逆変色層は、電子を失うと発色する色素から成る電子供与性呈色性有機化合物と、前記電子供与性呈色性有機化合物から電子を奪う電子受容性化合物と、所定温度を境に溶解と固化とを行って前記電子供与性呈色性有機化合物と前記電子受容性化合物との呈色反応を可逆的に生起させる反応媒体とを含むことを特徴とする請求項５〜請求項７のいずれかに記載の保存庫。
【発明の詳細な説明】
【技術分野】
【０００１】
本発明は、ユーザにより所望の室内温度に切り替えることができる温度切替室を備えた保存庫に関する。
【背景技術】
【０００２】
生活環境の変化が著しい昨今においては、家族それぞれが食事を摂る時間が異なる家庭が増えている。このため、加熱食品を保温するために保温箱や保温用収納容器が用いられる。これにより、調理を何度も行う手間を省くことができる。
【０００３】
一方、冷凍室及び冷蔵室に加えて温度切替室を備えた冷蔵庫が特許文献１に開示されている。この冷蔵庫は、温度切替室に送出される冷気の通路を開閉するダンパ装置と、温度切替室を昇温するヒータとを備えている。これにより、温度切換室の室内温度を使用者の用途に応じて冷凍、冷蔵、パーシャル、チルド等の所望の低温の温度帯に切り替えることができる。
【０００４】
また、特願２００４−３１３２１８に記述される冷蔵庫は、温度切替室を加熱食品の保温が可能な高温側に切り替えることができる。これにより、加熱食品を保温するための使用者の経済的負担を軽減するとともに場所の確保を容易にして利便性の高い冷蔵庫を提供することができる。
【０００５】
また、冷蔵庫の壁面や扉は一般に不透明になっており、扉を閉じた状態では内部を視認できない。このため、特許文献２、３には不透明な状態と透明な状態とに切替可能な調光窓を扉に設けて貯蔵物を保温する保存庫が開示されている。これにより、使用者が必要なときに調光窓を透明状態にして扉を開かずに内部を視認することができ、内部の空気の流出を防止して省電力化を図ることができる。
【特許文献１】特開平１０−２８８４４０号公報
【特許文献２】実願昭６２−１５０５３０号
【特許文献３】特開平６−５０６５３号公報
【発明の開示】
【発明が解決しようとする課題】
【０００６】
上記特許文献１のように複数の温度帯に切り替えられる冷蔵庫の場合には、温度帯が複数にわたる。このため、温度切替室が現在どの温度帯に切り替えられているかを冷蔵庫の外観を見て使用者が容易に判別できないという問題がある。
【０００７】
また、上記特許文献２、３の保存庫によると、使用者自らが操作しなければ調光窓を透明に切り替えて保存庫の内部を視認できない。このため、使用者が被保存物を収納したことを忘れた場合には切り替え操作が行われないので長期間放置されたままになる。特に、加熱食品の保温が可能な高温側に切り替える温度切替室を有する保存庫では、貯蔵物の収納を忘れると加熱により食品が乾燥して劣化する。加えて、温度切替室の温度を識別できず、使用者が被保存物を取り出す際に不用意に高温の貯蔵物と接触して火傷する危険がある。
【０００８】
本発明は、温度切替室がどのような目的で使用されているかが容易に判別でき、温度切替室に収容された食品の状態または食品の有無自体を容易に認識できる、利便性の高い保存庫を提供することを目的とする。また、被保存物の過熱を防止するとともに安全性を向上することのできる低温側と高温側とに切り替え可能な保存庫を提供することを目的とする。
【課題を解決するための手段】
【０００９】
上記目的を達成するために本発明は、冷却器による冷却とヒータによる加熱とによって低温側と高温側とに室内温度を切り替えできる温度切替室を備えた保存庫において、前記温度切替室を開閉する扉を有し、前記温度切替室の温度に応じて発色状態を可変する発色可変部を前記扉に設けたことを特徴としている。
【００１０】
この構成によると、例えば、温度切替室は低温側に切り替えられると冷却器から冷気が導入され、冷凍、パーシャル、チルド、冷蔵等の低温室となる。これにより、貯蔵物を冷蔵保存または冷凍保存できる。温度切替室は高温側に切り替えられるとヒータが駆動され、高温の高温室となる。これにより、加熱調理済み食品の一時的な保温や冬場の温調理等ができる。温度切替室の扉には発色可変部が設けられ、発色可変部は例えば温度切替室を低温側にすると扉と同色に変色し、高温側にすると暖色に変色する。温度切替室の温度に応じて発色可変部を発色と消色とに切り替えてもよい。消色した場合には、発色可変部は扉の色に見える。扉の透明部分で消色した場合は温度切替室の内部が視認可能になる。
【００１１】
また本発明は上記構成の保存庫において、前記発色可変部は、前記温度切替室が所定温度よりも低温の時に発色または消色し、所定温度よりも高温の時に消色または発色することを特徴としている。
【００１２】
この構成によると、温度切替室を所定温度よりも低い温度にすると発色可変部が例えば所定の色に発色して視認される。扉の透明部分に発色可変部を設けた場合は温度切替室を高温側にすると発色可変部が例えば消色し、扉に透明部分を設けた場合には温度切替室内を視認可能になる。また、扉に透明部分を設けない場合には、温度切替室を所定温度よりも低い温度にすると発色可変部が例えば消色して扉の色が視認される。温度切替室を高温側にすると発色可変部が発色し、高温側で使用していることが容易に認識できる。
【００１３】
また本発明は上記構成の保存庫において、前記発色可変部は、前記温度切替室が所定温度よりも低温の時に第１の色を発色し、所定温度よりも高温の時に第２の色を発色することを特徴としている。この構成によると、発色可変部は低温側と高温側で異なる色を発色する。
【００１４】
また本発明は上記構成の保存庫において、前記発色可変部は、前記温度切替室が所定温度よりも低温の時に第１の色を発色し、前記所定温度よりも高温でかつ一定の温度範囲内の時に消色し、該温度範囲よりもさらに高温の時に第２の色を発色することを特徴としている。この構成によると、低温側で所定の色を発色する発色可変部は高温側で消色され、一定の温度範囲を超えると別の色で発色する。
【００１５】
また本発明は上記構成の保存庫において、前記扉に透明な窓を設けて前記発色可変部を前記窓に配置し、前記発色可変部は前記温度切替室を高温側にした際に通電されるヒータ層と、前記ヒータ層に積層されるとともに前記ヒータ層の温度に応じて可逆的に変色する可逆変色層とを有することを特徴としている。この構成によると、温度切替室を高温側にするとヒータ層が加熱され、可逆変色層が昇温される。これにより、例えば、可逆変色層が消色して窓から温度切替室内を視認可能になる。ヒータ層の通電を停止した際に可逆変色層を消色してもよく、ヒータ層の通電のオンオフに応じて可逆変色層の色を可変してもよい。
【００１６】
また本発明は上記構成の保存庫において、前記扉に透明な窓を設け、前記発色可変部は、前記窓の背面に設けられるとともに前記温度切替室内の温度に応じて可逆的に変色する可逆変色層を有することを特徴としている。この構成によると、温度切替室を高温側にすると窓の背面の可逆変色層が昇温される。これにより、例えば、可逆変色層が消色して窓から温度切替室内を視認可能になる。温度切替室を低温側にした際に可逆変色層を消色してもよく、温度帯の切替えに応じて可逆変色層の色を可変してもよい。
【００１７】
また本発明は上記構成の保存庫において、前記扉に設けられる透明な窓と、前記窓の背後に空隙を介して配される透明の遮蔽板とを備え、前記発色可変部は、前記遮蔽板に設けられるとともに前記温度切替室内の温度に応じて可逆的に変色する可逆変色層を有することを特徴としている。
【００１８】
この構成によると、温度切替室の後方から送出される冷気または温風は遮蔽板に衝突し、直接窓に当たらない。温度切替室を高温側にすると遮蔽板に温風が衝突して可逆変色層が昇温される。これにより、例えば、可逆変色層が消色して窓及び遮蔽板を介して温度切替室内を視認可能になる。温度切替室を低温側にした際に可逆変色層を消色してもよく、温度帯の切替えに応じて可逆変色層の色を可変してもよい。
【００１９】
また本発明は上記構成の保存庫において、電子を失うと発色する色素から成る電子供与性呈色性有機化合物と、前記電子供与性呈色性有機化合物から電子を奪う電子受容性化合物と、所定温度を境に溶解と固化とを行って前記電子供与性呈色性有機化合物と前記電子受容性化合物との呈色反応を可逆的に生起させる反応媒体とを含むことを特徴としている。この構成によると、例えば、所定温度以下では電子供与性呈色性有機化合物から電子受容性化合物に電子が与えられて電子供与性呈色性有機化合物が発色し、所定温度を超えると反応媒体により該電子の授受が阻害されて電子供与性呈色性有機化合物が消色する。
【発明の効果】
【００２０】
本発明によると、温度切替室の温度に応じて発色状態を可変する発色可変部を扉に設けたので、使用者は温度切替室内の温度帯を冷蔵庫の外から容易に認識することができる。従って、温度切替室を高温側にした際に使用者に注意を喚起し、被保存物を収納したことを忘れて過熱されることによる被保存物の劣化を防止できる。また、被保存物を取り出す際の火傷を防止して安全性の高い冷蔵庫を提供することができる。加えて、別途表示装置等を設ける必要がなく、安価に低消費電力で温度切替室内の温度状態を簡単に認識することができる。
【００２１】
また本発明によると、発色可変部は、温度切替室が所定温度よりも低温の時に発色または消色し、所定温度よりも高温の時に消色または発色するので、温度切替室を高温側にした際に発色可変部を消色し、窓を介してヒータの状態や被保存物の種類等を視認して温度切替室内の温度帯をより確実に認識することができる。加えて、温度切替室内の被保存物の状況を視認して被保存物の乾燥状態や過熱状態等を容易に把握することができる。また、温度切替室を高温側にした際に発色可変部を発色し、温度切替室を高温側で使用していることを容易に認識することができる。
【００２２】
また本発明によると、発色可変部は低温側で第１の色を発色して高温側で第２の色を発色するので、温度切替室が高温側と低温側のどちらに切り替えられているのかを容易に認識することができる。
【００２３】
また本発明によると、発色可変部は低温側で第１の色を発色して高温側の一定の温度範囲で消色し、該温度範囲を超えると第２の色を発色するので、温度切替室が高温側に切り替えられると温度切替室内を容易に視認することができる。加えて、温度切替室を長時間高温側に維持して発色可変部が更に昇温された際に使用者に注意を喚起することができる。
【００２４】
また本発明によると、発色可変部が、透明な窓に配されるヒータ層と、温度に応じて可逆的に変色する可逆変色層とを有するので、温度切替室の温度に応じて発色状態を速やかに可変する発色可変部を容易に実現することができるとともに、可逆変色層を消色した際に温度切替室の内部を視認することができる。
【００２５】
また本発明によると、発色可変部が、透明な窓の背面に設けられて温度に応じて可逆的に変色する可逆変色層を有するので、温度切替室内の空気が可逆変色層に接触し、温度切替室の温度に応じて発色状態を速やかに可変する発色可変部を容易に実現することができるとともに、可逆変色層を消色した際に温度切替室の内部を視認することができる。
【００２６】
また本発明によると、発色可変部が、透明な窓の背後の透明な遮蔽板に設けられて温度に応じて可逆的に変色する可逆変色層を有するので、温度切替室の後部から扉に向かって送出される冷気または温風を遮蔽し、窓の結露を防止することができる。また、扉に向かって送出される冷気または温風が可逆変色層に接触し、温度切替室の温度に応じて発色状態を速やかに可変する発色可変部を容易に実現することができるとともに、可逆変色層を消色した際に温度切替室の内部を視認することができる。
【００２７】
また本発明によると、可逆変色層が電子供与性呈色性有機化合物と電子受容性化合物と反応媒体とを含むので、温度に応じて可逆的に変色する可逆変色層を容易に実現することができるとともに、容易に消色することができる。
【発明を実施するための最良の形態】
【００２８】
以下に本発明の実施形態を、図面を参照して説明する。図１、図２は一実施形態の冷蔵庫を示す正面図及び右側面図である。冷蔵庫１は、上段に冷蔵室２が配され、中段に温度切替室３及び製氷室４が配される。冷蔵庫１の下段には野菜室５及び冷凍室６が配されている。各貯蔵室は、被保存物（魚肉、獣肉、野菜などの生鮮食品や飲料、調理済み食品、冷凍済み食品など）を収容し、保存する。
【００２９】
冷蔵室２は観音開きの扉を有し、貯蔵物を冷蔵保存する。温度切替室３は中段左側に設けられ、使用者により室温を切り替えられるようになっている。製氷室４は中段右側に設けられ、製氷を行う。野菜室５は下段左側に設けられ、野菜の貯蔵に適した温度（約８℃）に維持される。冷凍室６は下段右側に設けられ、製氷室４に連通して貯蔵物を冷凍保存する。
【００３０】
図３は冷蔵庫１の右側面断面図である。冷凍室６及び製氷室４には貯蔵物を収納する収納ケース１１が設けられる。野菜室５及び温度切替室３にも同様の収納ケース１１が設けられる。冷蔵室２には貯蔵物を載置する複数の収納棚４１が設けられる。冷蔵室２の扉には収納ポケット４２が設けられる。これらにより、冷蔵庫１の使い勝手が向上されている。また、冷蔵室２内の下部にはチルド温度帯（約０℃）に維持されたチルド室２３が設けられている。
【００３１】
冷凍室６の背後には冷気通路３１が設けられ、冷気通路３１内には圧縮機３５に接続された冷却器１７が配される。冷蔵室２の背後には冷気通路３１と連通する冷気通路３２が設けられる。凝縮器、膨張器（いずれも不図示）が接続された圧縮機３５の駆動によりイソブタン等の冷媒が循環して冷凍サイクルが運転される。これにより、冷凍サイクルの低温側となる冷却器１７と冷気通路３１を流通する空気とが熱交換して冷気が生成される。
【００３２】
また、冷気通路３１、３２内には冷凍室送風機１８及び冷蔵室送風機２８がそれぞれ配される。詳細を後述するように、冷却器１７で生成された冷気は冷凍室送風機１８の駆動により冷気通路３１を介して冷凍室６、製氷室４、チルド室２３及び温度切替室３に供給される。また、該冷気は、冷蔵室送風機２８の駆動により冷気通路３２を介して冷蔵室２及び野菜室５に供給される。
【００３３】
図４は温度切替室３を示す右側面断面図である。温度切替室３の上下面は断熱壁７、８により冷蔵室２及び野菜室５と断熱隔離されている。また、温度切替室３の側面は図示しない断熱壁により製氷室４及び冷凍室６と断熱隔離されている。温度切替室３内には貯蔵物を載置する引出し式の収納ケース１１が配されている。
【００３４】
温度切替室３の前面は回動式の扉９により開閉可能になっている。扉９は前面に配されるドアプレート１０１と背面に配されるドアバック１０２との間に発泡樹脂等から成る断熱材１２０が充填されている。扉９の上下面は上キャップ１０６及び下キャップ１０７により塞がれている。扉９には収納ケース１１の前面の高さよりも上方に貫通孔９ａが形成され、貫通孔９ａには複数の透明部材から成る窓１２１が配されている。
【００３５】
窓１２１は貫通孔９ａの前後の周縁に嵌合するパネルケース１０８及びバックカバー１０３を有している。バックカバー１０３にはバックプレート１０４が温度切替室３側に取り付けられ、断熱部１０５が前面側に取り付けられる。バックプレート１０４は透明なポリカーボネート、アクリル樹脂、ガラス等を一つ以上含んで成っている。
【００３６】
断熱部１０５は周囲を密閉された透明な箱体から成り、内部に透明断熱材が充填されている。これにより、扉９の温度切替室３側と前面との温度差による結露を防止して温度切替室３内の視認性の低下を防止することができる。透明断熱材として、シリカ乾燥ゲル等の多孔質の乾燥ゲル（例えば、多孔度７０％以上、平均孔径２００ｎｍ以下）を用いることができる。空隙を介して対向する透明板間を真空にして断熱部１０５を形成してもよい。また、空隙を介して対向する透明板間に空気を充填して断熱部１０５を形成してもよい。
【００３７】
パネルケース１０８には背面側に透明なポリカーボネート、アクリル樹脂、ガラス等を一つ以上含んで成る保護カバー１０９が取り付けられる。保護カバー１０９の前面（窓１２１の表面側）には発色可変部１１０が配される。図６は発色可変部１１０を示す側面図である。発色可変部１１０はアクリル等の透明樹脂やガラスから成る基板１２３上にヒータ層１２４が設けられ、ヒータ層１２４上に可逆変色層１２５が積層されている。基板１２３を背面側に配置しても前面側に配置してもよい。尚、基板１２３に凸レンズを形成し、可逆変色層１２５が消色した際に使用者が温度切替室３の内部を拡大して視認できるようにしてもよい。
【００３８】
図７の平面図に示すように、ヒータ層１２４は蛇行した電熱線から成り、断熱材１２０内に挿通されるリード線（不図示）に接続部１２４ａが接続される。ヒータ層１２４は可逆変色層１２５の前面及び背面のいずれに設けてもよい。
【００３９】
可逆変色層１２５は電子供与性呈色性有機化合物と電子受容性化合物と反応媒体とをマイクロカプセル化した感温染料を塗布して形成されている。電子供与性呈色性有機化合物は電子を失うと発色する色素から成る。電子受容性化合物は電子供与性呈色性有機化合物から電子を奪う。反応媒体は所定温度を境に溶解と固化とを行って電子供与性呈色性有機化合物と電子受容性化合物との呈色反応を可逆的に生起させる。
【００４０】
これにより、可逆変色層１２５は所定の温度（変色点）を境にその前後で発色状態を可変し、高温側の変色点以上の温度域で消色して低温側の変色点以下の温度域で発色する。このため、ヒータ層１２４に通電することにより可逆変色層１２５が消色し、発色可変部１１０を透明にして温度切替室３の内部の状態を視認することができる。尚、可逆変色層１２５はヒータ層１２４に隣接されるため、可逆変色層１２５の発色状態を速やかに可変することができる。
【００４１】
詳細を後述するように、図示しない操作スイッチの操作によって加熱食品を保温する高温側に温度切替室３を切り替えることができる。温度切替室３を高温側に切り替えると温度切替室３内に設けられたヒータ１５に通電される。これと同時または温度切替室３の室内温度上昇にあわせた一定時間経過後にヒータ層１２４にも通電される。発色可変部１１０は、ヒータ層１２４の温度に可逆変色層１２５が感温することで、所定の温度を境に発色状態を可変する。これにより、温度切替室３が高温状態のときは内部が高温であることを使用者に容易に認知させて使用者に注意を喚起することができる。
【００４２】
また、温度切替室３を貯蔵物を冷却する低温側にした際にはヒータ層１２４の通電が停止される。これにより、可逆変色層１２５は所定の色を発色し、低温状態であることを容易に認識することができる。この時、可逆変色層１２５を扉９と同色にするとよい。即ち、低温状態の時は一般に貯蔵物の劣化や腐敗が進行しにくいため比較的長期間継続して貯蔵物が保存され、注意を喚起する必要性も少ない。このため、温度切替室３が低温状態の時に窓１２１が扉９と一体に見えて他の貯蔵室の扉と同様に見え、冷蔵庫１の美感を向上することができる。
【００４３】
尚、可逆変色層１２５により高温側の時に第１の色を発色し、低温側の時に第２の色を発色してもよい。この時、第１の色を暖色にして第２の色を寒色または扉９と同色にするとより好ましい。加えて、高温側で発色して低温側で消色してもよく、後述するように、低温側で複数の温度帯に切り替えられる場合に、各温度帯に応じて複数の色（同系色で濃度の異なる色を含む）を発色してもよい。更に、扉９の不透明部分に発色可変部１１０を設けると、高温側または低温側で可逆変色層１２５を消色させて発色可変部１１０が配される部分を扉９と同色にすることができる。
【００４４】
また、感温染料はマイクロカプセル化されているため塗料に混ぜて容易に塗布することができる。基板１２３を省いて保護カバー１０９に感温染料を塗布して可逆変色層１２５を形成してもよい。また、透明樹脂に感温染料を混合して基板１２３或いは保護カバー１０９と一体に可逆変色層１２５を形成してもよい。
【００４５】
発色可変部１１０の前面はパネルケース１０８に嵌合するフロントカバー１１１ａに支持されたフロントプレート１１１が配される。フロントプレート１１１は透明なポリカーボネート、アクリル樹脂、ガラス等から成っている。バックプレート１０４及び断熱部１０５を取り付けたバックカバー１０３はドアバック１０２に取り付けられる。保護カバー１０９を取り付けたパネルケース１０８はドアプレート１０１に取り付けられる。その後、断熱材１２０を注入して断熱材１２０が発泡されている。尚、バックカバー１０３の前端とドアプレート１０１との間は充分離れており、これらの間の熱の授受は少なくなっている。
【００４６】
また、ドアバック１０２の上部には透明なポリカーボネート、アクリル樹脂、ガラス等を一つ以上含んで成る遮蔽板１２２の上部が取り付けられる。遮蔽板１２２は窓１２１の背後に空隙ｄを介して下方を開放して配置される。これにより、後述する後方の流入口３３ａから温度切替室３に流入する空気を遮蔽してバックカバー１０３やバックプレート１０４に直接当ることを防止する。このため、温度切替室３に流入する空気が冷気の場合は、冷気によるバックカバー１０３やバックプレート１０４の冷却を緩和することができる。従って、冷熱の授受による保護カバー１０９やフロントプレート１１１の前面部の結露を軽減できる。尚、上記した基板１２３に替えて遮蔽板１２２に凸レンズを形成し、可逆変色層１２５が消色した際に使用者が温度切替室３の内部を拡大して視認できるようにしてもよい。
【００４７】
温度切替室３の背面は背面板３３により覆われている。背面板３３の上部には温度切替室３に空気が流入する流入口３３ａが設けられ、下部には温度切替室３から空気が流出する流出口３３ｂが設けられる。また、流入口３３ａ及び流出口３３ｂ近傍には温度切替室３内の温度を検知する温度センサ２４、１６が設けられる。
【００４８】
背面板３３の後方には、外壁を形成する断熱壁１０との間に導入通風路１２が設けられている。導入通風路１２には温度切替室吐出ダンパ１３が設けられ、冷気通路３１に連通して冷却器１７（図３参照）で発生した冷気を温度切替室３に導く。また、温度切替室吐出ダンパ１３の開閉により冷却器１７と温度切替室３の流入側との間の冷気経路が開閉され、開閉量によって導入通風路１２から温度切替室３に流入する風量が調整される。
【００４９】
導入通風路１２内には、温度切替室吐出ダンパ１３と流入口３３ａとの間に温度切替室送風機１４が設けられている。温度切替室送風機１４の駆動によって冷気通路３１の冷気が容易に温度切替室３に導かれる。
【００５０】
流出口３３ｂの後方には温度切替室戻りダンパ２０が設けられる。温度切替室戻りダンパ２０は開口部２０ａ、２０ｂを有し、回動により一方を開いて他方を閉じるバッフル２０ｃを有している。開口部２０ｂを開くと温度切替室３から流出する空気は戻り通風路１９（図５参照）を介して冷却器１７に導かれる。
【００５１】
開口部２０ａを開くと温度切替室３から流出する空気は温度切替室送風機１４の吸気側に導かれるとともに、温度切替室３の流出側と冷却器１７との冷気経路が閉じられる。従って、温度切替室送風機１４を駆動し、温度切替室吐出ダンパ１３及び温度切替室戻りダンパ２０の開口部２０ｂを閉じることにより、矢印Ｆに示すように温度切替室３の空気を循環させることができる。尚、温度切替室送風機１４を温度切替室３内に設けてもよい。
【００５２】
温度切替室３の流入口３３ａの背後には、窓１２１から流入口３３ａを介して視認可能な高さにヒータ１５が設けられる。ヒータ１５は熱輻射式のガラス管ヒータから成り、背面板３３を介して放出される輻射熱により温度切替室３を昇温する。また、ヒータ１５は前面に通気孔が設けられるとともに後端が温度切替室送風機１４に面して開口するヒータカバー１５ａで覆われる。これにより、温度切替室送風機１４により送出される空気はヒータ１５の表面に導かれ、ヒータ１５の表面温度を下げて安全性を向上させることができる。また、流出口３３ｂには、所定の温度まで高温になるとヒータ１５の通電を遮断する温度ヒューズ３０が設けられる。
【００５３】
ヒータ１５の上方には温度切替室３の天井面に取り付けられた照明灯１１３が配される。照明灯１１３は断熱壁７内に挿通されるリード線（不図示）が接続されたソケット１１２に取り付けられる。照明灯１１３は暖色のものが用いられ、温度切替室３を高温側に切り替えた際に点灯して低温側に切り替えた際に消灯する。照明灯１１３の下方は透明な照明灯カバー１１４により覆われる。照明灯カバー１１４は背面板３３の上部及び温度切替室３の天井面に係合する係合爪（不図示）により固定される。
【００５４】
背面板３３の上面及びヒータカバー１５ａの上面にはそれぞれ開口部３３ｃ、１５ｂが形成される。これにより、温度切替室送風機１４と照明灯１１３との間を連通させる照明灯通路１１６が形成される。温度切替室送風機１４により送出される空気は照明灯通路１１６を介して照明灯１１３に導かれ、照明灯カバー１１４の下面に設けた開口部１１４ａから温度切替室３内に吐出される。従って、ヒータ１５近傍に配されて加熱される照明灯１１３を冷却することができる。また、照明灯１１３の放熱を温度切替室送風機１４により循環させることができる。
【００５５】
図５は冷蔵庫１の中段付近の正面断面図を示している。冷凍室６の背後の冷気通路３１は冷凍室送風機１８の前面上部を開口し、冷凍室送風機１８によって製氷室４に空気が送出される。製氷室４に連通する冷凍室６の下部には冷凍室ダンパ２２が設けられる。冷凍室６の後方下部には、冷凍室ダンパ２２を介して冷却器１７に空気を導いて冷気通路３１に戻る戻り通風路２１（図３参照）が設けられている。冷凍室ダンパ２２の開閉により冷凍室６から流出する空気の風量が調整される。
【００５６】
冷気通路３１の上部は冷蔵室ダンパ２７を介して冷気通路３２に連通する。また、冷気通路３１は分岐され、チルド室ダンパ２５を介してチルド室２３と連通するとともに、前述のように導入通風路１２（図４参照）に連通する。
【００５７】
冷蔵室２の背面下部には冷蔵室流出口（不図示）が開口し、野菜室５には野菜室流入口（不図示）が設けられる。冷蔵室流出口と野菜室流入口とは温度切替室３の背面を通る通路（不図示）により連結され、冷蔵室２と野菜室５が連通している。
【００５８】
温度切替室戻りダンパ２０は温度切替室３の左方下部に設けられる。温度切替室３及び野菜室５の背後には、温度切替室戻りダンパ２０から下方に延びて戻り通風路２１（図３参照）に連通する戻り通風路１９が設けられている。前述したように、温度切替室３内の空気は温度切替室戻りダンパ２０の開口部２０ｂ（図４参照）を開くことにより戻り通風路１９、２１を介して冷却器１７に導かれる。尚、野菜室５の背面には戻り通風路１９に連通する野菜室流出口（不図示）が設けられる。
【００５９】
図８は冷蔵庫１の冷気の流れを示す冷気回路図である。冷凍室６、冷蔵室２及び温度切替室３はそれぞれ並列に配される。また、製氷室４は冷凍室６と直列に配され、野菜室５は冷蔵室２と直列に配される。冷却器１７で生成された冷気は、冷凍室送風機１８の駆動により矢印Ａ（図５参照）に示すように冷気通路３１を上昇して製氷室４に送出される。製氷室４に送出された冷気は製氷室４及び冷凍室６を流通し、冷凍室ダンパ２２から流出する。そして、戻り通風路２１を介して冷却器１７に戻る。これにより、製氷室４及び冷凍室６内が冷却される。
【００６０】
冷蔵室送風機２８の駆動により、冷凍室送風機１８の排気側となる冷気通路３１の上部で分岐した冷気は冷蔵室ダンパ２７を介して矢印Ｂ（図５参照）に示すように冷気通路３２を流通し、冷蔵室２に送出される。また、矢印Ｃ（図５参照）に示すようにチルド室２３に送出される。
【００６１】
これらの冷気は冷蔵室２及びチルド室２３を流通した後、野菜室５に流入する。野菜室５に流入した冷気は野菜室５内を流通して戻り通風路１９、２１を介して冷却器１７に戻る。これにより、冷蔵室２及び野菜室５内が冷却され、設定温度になると冷蔵室ダンパ２７及びチルド室ダンパ２３が閉じられる。
【００６２】
また、温度切替室送風機１４の駆動により、冷凍室送風機１８の排気側となる冷気通路３１の上部で分岐した冷気は矢印Ｄ（図５参照）に示すように導入通風路１２を流通し、温度切替室吐出ダンパ１３を介して温度切替室３に流入する。温度切替室３に流入した冷気は温度切替室３内を流通し、温度切替室戻りダンパ２０から流出する。そして、矢印Ｅ（図５参照）に示すように、戻り通風路１９、２１を介して冷却器１７に戻る。これにより、温度切替室３内が冷却される。
【００６３】
前述のように、温度切替室３は使用者の操作により室内温度を切り替えることができるようになっている。温度切替室３の動作モードは温度帯に応じてワイン（８℃）、冷蔵（３℃）、チルド（０℃）、ソフト冷凍（−８℃）、冷凍（−１５℃）の各冷却モードが設けられる。
【００６４】
これにより、使用者は所望の温度で貯蔵物を冷凍または冷蔵して冷却保存できる。室内温度の切り替えは温度切替室吐出ダンパ１３を開く量を可変して行うことができる。尚、例えば冷凍の室内温度から冷蔵の室内温度に切り替える際にヒータ１５に通電して昇温してもよい。これにより、迅速に所望の室内温度に切り替えることができる。
【００６５】
また、ヒータ１５に通電することにより、温度切替室３の室内温度を貯蔵物を冷却保存する低温側から調理済み加熱食品の一時的な保温や温調理等を行う高温側の保温モードに切り替えることができる。高温側の室内温度は、主な食中毒菌の発育温度が３０℃〜４５℃であるため、ヒータ容量の公差や温度切替室３内の温度分布等を考慮して５０℃以上にするとよい。これにより、雑菌の繁殖を防止できる。
【００６６】
また、冷蔵庫に用いられる一般的な樹脂製部品の耐熱温度が８０℃であるため、高温側の室内温度を８０℃以下にすると安価に実現することができる。加えて、食中毒菌を滅菌するためには、例えば腸管出血性大腸菌（病原性大腸菌Ｏ１５７）の場合では７５℃で１分間の加熱が必要である。従って、高温側の室内温度を７５℃〜８０℃にするとより望ましい。
【００６７】
以下は５５℃での食中毒菌の減菌に関する試験結果である。試験サンプルは初期状態で大腸菌２．４×１０3ＣＦＵ／ｍＬ、黄色ブドウ球菌２．０×１０3ＣＦＵ／ｍＬ、サルモネラ２．１×１０3ＣＦＵ／ｍＬ、腸炎ビブリオ１．５×１０3ＣＦＵ／ｍＬ、セレウス４．０×１０3ＣＦＵ／ｍＬを含んでいる。この試験サンプルを４０分間で３℃から５５℃に加温し、５５℃で３．５時間保温後、８０分間で５５℃から３℃に戻して再度各菌の量を調べた。その結果、いずれの菌も１０ＣＦＵ／ｍＬ以下（検出せず）のレベルまで減少していた。従って、温度切替室３の高温側の設定温度を５５℃としても充分減菌効果がある。
【００６８】
温度切替室３を低温側から高温側に切り替えると、温度切替室吐出ダンパ１３が閉じられ、温度切替室戻りダンパ２０のバッフル２０ｃにより開口部２０ｂが閉じられる。次に、ヒータ１５及び照明灯１１３がＯＮされ、ヒータ層１２４がＯＮされる。そして、温度切替室送風機１４の回転数が低温側の時よりも増加される。
【００６９】
その結果、矢印Ｆに示すように、温度切替室送風機１４から送出される空気は流出口３３ｂを介して連通路３６を流通する。これにより、図８の破線Ｓに示すように温度切替室３内の空気は温度切替室戻りダンパ２０を介して温度切替室送風機１４に導かれて循環する。その結果、温度切替室３内が昇温され、ヒータ１５の容量を可変して高温側の所定の温度に維持される。
【００７０】
この時、流入口３３ａから温度切替室３に吐出される温風は遮蔽板１２２で遮蔽され、窓１２１に直接衝突しない。このため、窓１２１の前面と温度切替室３側との間の温度差の増加を抑制し、窓１２１の温度切替室３側の結露を防止することができる。また、遮蔽板１２２の上部がドアバック１０２に取り付けられるため、視認容易なように温度切替室３の上部に配されたヒータ１５に面した流入口３３ａからの温風を確実に遮断することができる。
【００７１】
温度切替室３を高温側から低温側に切り替えると、温度切替室吐出ダンパ１３が開かれ、温度切替室戻りダンパ２０の開口部２０ｂが開かれる。そして、ヒータ１５、ヒータ層１２４及び照明灯１１３がＯＦＦされ、温度切替室送風機１４の回転数が高温側の時よりも低下される。これにより、温度切替室３には冷却器１７の冷気が流入し、低温側の所定温度に維持される。
【００７２】
この時、流入口３３ａから温度切替室３に吐出される冷気は遮蔽板１２２で遮蔽され、窓１２１に直接衝突しない。このため、窓１２１の前面と温度切替室３側との間の温度差の増加を抑制し、窓１２１の前面の結露を防止することができる。
【００７３】
本実施形態によると、貯蔵物を冷却保存する低温側と加熱食品を保温する高温側とに室内温度を切り替えできる温度切替室３を備えたので、別途保温庫等を必要とせず使用者の経済的な負担を軽減するとともに保温庫等の設置場所の確保を不要にして加熱食品を保温できる利便性の高い冷蔵庫１を提供することができる。
【００７４】
また、温度切替室３の温度に応じて発色状態を可変する発色可変部１１０を扉９に設けたので、使用者は温度切替室２内の温度帯を冷蔵庫１の外から容易に認識することができる。従って、温度切替室３を高温側にした際に使用者に注意を喚起し、貯蔵物を収納したことを忘れ、過熱によって貯蔵物が劣化や腐敗することを防止できる。また、貯蔵物を取り出す際の火傷を防止して安全性の高い冷蔵庫１を提供することができる。加えて、別途表示装置等を設ける必要がなく、安価に低消費電力で温度切替室３内の温度帯を認識させることができる。
【００７５】
また、発色可変部１１０は温度切替室３が低温側の時に発色して高温側の時に消色するので、温度切替室３を高温側にした際に窓１２１を介して赤熱するヒータ１５の状態や貯蔵物の種類等を視認して温度切替室３内の温度帯をより確実に認識することができる。また、温度切替室３内の貯蔵物の状況を視認して貯蔵物の乾燥状態や過熱状態等を容易に把握することができる。
【００７６】
尚、可逆変色層１２５は４０℃以上で消色または第１の色に変色して４０℃よりも低くなると発色または第２の色に変色するように感温染料の呈色反応を調整するとより望ましい。
【００７７】
また、温度切替室３の各動作モードに応じて変色するように複数の変色点を有する可逆変色層１２５を設けてもよい。複数の変色点は、表１に示すように変色点の異なる複数の感温染料を積層または混合して実現することができる。即ち、第１〜第５の感温染料はそれぞれ第１〜第５の変色点を有し、低温の変色点を有する感温染料がより濃い色となる第１〜第５の発色を行うように選択される。
【００７８】
【表１】
2007064587.tif 000003
【００７９】
そして、ヒータ層１２４の温度を複数段階に制御するように通電される。これにより、可逆変色層１２５は保温モードの時に第１の変色点よりも高温に維持される。ワインモードでは第１の変色点よりも低温で第２の変色点よりも高温に維持される。冷蔵モードでは第２の変色点よりも低温で第３の変色点よりも高温に維持される。チルドモードでは第３の変色点よりも低温で第４の変色点よりも高温に維持される。ソフト冷凍モードでは第４の変色点よりも低温で第５の変色点よりも高温に維持される。冷凍モードでは第５の変色点よりも低温に維持される。これにより、温度切替室３が低温になるほど可逆変色層１２５は例えば寒色の濃度が濃くなり、使用者は動作モードを容易に認識することができる。
【００８０】
また、所定の温度領域で濃度が変化し、変色点に到達した際に消色または変色する感温染料を用いてもよい。これにより、保温モード時は消色または暖色とし、低温側の各動作モードに応じて温度が低下するほど寒色の濃度が濃くなるように発色させることができる。その結果、使用者は温度切替室１２５がどのような温度帯かや、どのような種類の貯蔵物か等を温度切替室１２５の扉を視認するだけで容易に把握することができる。
【００８１】
本実施形態において、温度切替室３が高温側の時にヒータ層１２４に通電して低温側の時にヒータ層１２４を停止している一例を説明したが、温度切替室３が低温側の時にヒータ層１２４に通電して高温側の時にヒータ層１２４を停止してもよい。これにより、温度切替室３内の冷気による窓１２１の結露を防止することができる。この時、可逆変色層１２５として変色点よりも低い温度で消色する感温染料を用いるとより望ましい。
【００８２】
次に、図９は第２実施形態の冷蔵庫１の温度切替室３を示す側面図である。説明の便宜上、前述の図１〜図８に示す第１実施形態と同一の部分には同一の符号を付している。本実施形態は、発色可変部１１０が窓１２１の背面側に設けられている。その他の部分は第１実施形態と同様である。
【００８３】
発色可変部１１０はバックプレート１０４の背面に配され、透明な基板１２３（図６参照）に塗布された第１実施形態と同様の可逆変色層１２５（図６参照）から成っている。これにより、可逆変色層１２５は温度切替室３内の空気と接触し、室内温度に感温して発色状態を速やかに可変する。このため、第１実施形態と同様の効果を得ることができるとともに、ヒータ層１２４（図６参照）を省くことができる。従って、ヒータ層１２４等の変色制御手段を別途設けることなく温度切替室３内を循環する空気が変色制御手段となり、可逆変色層１２５が消色や変色する発色状態を可変することができる。
【００８４】
また、上記と同様に複数の変色点を有する可逆変色層１２５にしてもよい。この時、例えば、第１の変色点を４０℃、第２の変色点を５℃、第３の変色点を１℃、第４の変色点を−２℃、第５の変色点を−１０℃とする。これにより、保温モード、ワインモード、冷蔵モード、チルドモード、ソフト冷凍モード、冷凍モードの各動作モードの室内の空気によって可逆変色層１２５の温度を各変色点の間に維持することができる。
【００８５】
尚、基板１２３を省いてバックプレート１０４に感温染料を塗布して可逆変色層１２５を形成してもよい。また、透明樹脂に感温染料を混合して基板１２３或いはバックプレート１０４と一体に可逆変色層１２５を形成してもよい。また、基板１２３または遮蔽板１２２に凸レンズを形成し、可逆変色層１２５が消色した際に使用者が温度切替室３の内部を拡大して視認できるようにしてもよい。
【００８６】
また、図９において第１実施形態と同様の遮蔽板１２２を設けているが、これを省いてもよい。この場合には、温度切替室３を高温側にした際にヒータ１５によって加熱された空気が直接可逆変色層１２５（図６参照）に当たるので、より速やかに消色状態に可変することができる。そして、温度切替室３を低温側にした際に冷気が直接可逆変色層１２５に当たるのでより速やかに発色状態に可変することができる。
【００８７】
次に、図１０は第３実施形態の冷蔵庫１の温度切替室３を示す側面図である。説明の便宜上、前述の図１〜図８に示す第１実施形態と同一の部分には同一の符号を付している。本実施形態は、発色可変部１１０が遮蔽板１２２に設けられている。その他の部分は第１実施形態と同様である。
【００８８】
発色可変部１１０は遮蔽板１２２の背面に配され、透明な基板１２３（図６参照）に塗布された第１実施形態と同様の可逆変色層１２５（図６参照）から成っている。これにより、可逆変色層１２５は流入口３３ａから温度切替室３に流入する空気と衝突し、室内温度に感温して発色状態を速やかに可変する。従って、第１実施形態と同様の効果を得ることができるとともに、ヒータ層１２４（図６参照）を省くことができる。基板１２３または遮蔽板１２２に凸レンズを形成し、可逆変色層１２５が消色した際に使用者が温度切替室３の内部を拡大して視認できるようにしてもよい。
【００８９】
尚、基板１２３を省いて遮蔽板１２２に感温染料を塗布して可逆変色層１２５を形成してもよい。また、透明樹脂に感温染料を混合して基板１２３或いは遮蔽板１２２と一体に可逆変色層１２５を形成してもよい。
【００９０】
また、上記と同様に複数の変色点を有する可逆変色層１２５にしてもよい。この時、例えば、第１の変色点を４０℃、第２の変色点を５℃、第３の変色点を１℃、第４の変色点を−２℃、第５の変色点を−１０℃とする。これにより、保温モード、ワインモード、冷蔵モード、チルドモード、ソフト冷凍モード、冷凍モードの各動作モードの室内の空気によって可逆変色層１２５の温度を各変色点の間に維持することができる。
【００９１】
次に、第４実施形態の冷蔵庫について説明する。本実施形態は、第１実施形態と同様に構成され、可逆変色層１２５の構成が異なっている。その他の部分は第１実施形態と同様である。
【００９２】
可逆変色層１２５（図６参照）は、電子供与性呈色性有機化合物と電子受容性化合物と反応媒体とをマイクロカプセル化した第１、第２の感温染料を混合または積層して形成されている。表２に示すように、第１の感温染料は第１の変色点（例えば４０℃）を境にその前後で発色状態を可変し、第１の変色点よりも高温で消色して低温で発色する。第２の感温染料は第２の変色点（例えば６０℃）を境にその前後で発色状態を可変し、第２の変色点よりも高温で発色して低温で消色する。
【００９３】
【表２】
2007064587.tif 000004
【００９４】
温度切替室３を低温側に切り替えると、ヒータ層１２４（図６参照）には通電されないため、可逆変色層１２５は第１の変色点よりも低温に維持される。これにより、第１の感温染料が発色状態となるとともに第２の感温染料が消色状態となるため、発色可変部１１０が不透明になる。この時、第１の感温染料が寒色を発色して低温側の各動作モードに応じて低温になるほど濃くなるとより望ましい。
【００９５】
温度切替室３を高温側に切り替えるとヒータ層１２４が通電され、可逆変色層１２５が第１の変色点よりも高温で第２の変色点よりも低温に維持される。これにより、可逆変色層１２５は第１、第２の感温染料が消色状態となるため発色可変部１１０が透明になり温度切替室３の内部状態を外部から視認することができる。
【００９６】
温度切替室３を高温側に切り換えてから一定時間が経過すると、ヒータ層１２４を加熱して可逆変色層１２５が第２の変色点よりも高温に維持される。これにより、第１の感温染料が消色状態となるとともに第２の感温染料が発色状態となるため、発色可変部１１０が不透明になる。この時、第２の感温染料が暖色に発色すると望ましく、濃い赤色など警告感を感じさせる色がより望ましい。
【００９７】
これにより、発色可変部１１０は温度切替室３が低温側に切り換えた場合には不透明となり、高温側に切り換えた場合には一定時間だけ透明となる。さらに、高温側に切り換えてから一定時間が経過した場合には不透明となり、発色状態を警告色で表示することができる。従って、温度切替室３を高温側にして長期間放置した際に警告して使用者に好ましくない状態であることを知らせることができる。
【００９８】
尚、第２、第３実施形態において発色可変部１１０にヒータ層１２４を設け、高温側で長期間放置した際にヒータ層１２４に通電して可逆変色層１２５を第２の変色点よりも高温に維持することにより、本実施形態と同様に制御することができる。
【００９９】
第１〜第４実施形態において、野菜室５の流出口にダンパを設けてもよい。これにより、温度切替室３を高温側から低温側に切り替えた際に、該ダンパを閉じて温度切替室３からの熱風が野菜室５に逆流することを防止できる。また、温度切替室３を高温側から低温側へ切り替える際に冷凍室送風機１８が停止されている場合には、冷凍室ダンパ２２が閉じられるようになっている。これにより、温度切替室送風機１４の駆動によって冷凍室ダンパ２２から冷凍室６内へ熱風が逆流することを防止できる。
【０１００】
また、冷却器１７によって冷凍室６及び冷蔵室２を冷却しているが、冷蔵室２及び野菜室５専用の冷却器を別途設けてもよい。この時、冷却器１７によって冷凍室６及び温度切替室３を冷却することができる。
【０１０１】
また、可逆変色層１２５として結晶形の転移等に伴って色が変化するＡｇ2ＨｇＩ4やＡｇ2ＨｇＩ4−Ｃｕ2ＨｇＩ4固溶体等の顔料を用いた可逆性示温塗料を用いてもよい。
【０１０２】
また、窓１２１の大きさは、温度切替室３の扉９の表面の面積の少なくとも５％以上（より好ましくは１０％以上）を占めるとよい。また、窓１２１の形状は矩形、円形、楕円形、三角形、星型など温度切替室３の内部が視認しやすい形状が好ましい。発色可変部１１０の表示領域も窓１２１と同様の大きさ、形状が好ましい。
【０１０３】
扉９に変色可能な領域を大きく設けることで、例えば、ＬＥＤなどの表示装置による状態表示に較べて、温度切替室３の使用状態を明確に使用者が認識することができる。尚、第１実施形態においては、窓１２１を廃して扉９の表面上に発色可変部１１０を設けてもよい。この場合、扉９の表面積の少なくとも１／３以上、より好ましくは１／２以上、あるいは略全面にわたって発色可変部１１０で占めるとよい。
【０１０４】
更に、発色可変部１１０の可逆変色層１２５は、その発色可変部１１０の全面において消色または変色するように設けているが、発色可変部１１０の一部分を消色または変色させるように設けてもよい。即ち、発色可変部１１０の全面が消色または変色させるのに替えて、可逆変色層１２５で文字や絵などを形成することで、文字や絵を発色により表示させることができる。これにより、温度切替室３の使用状態をより明確に使用者が認識することができる。
【０１０５】
また、各実施形態における各構成は、適宜変更・組み合わせることができる。即ち、第１実施形態における窓１２１の表面に配した発色可変部（例えば、第１の発色可変部）、第２実施形態における窓１２１の背面に配した発色可変部（例えば、第２の発色可変部）、第３実施形態における遮蔽板１２２に配した発色可変部（例えば、第３の発色可変部）のいずれか２つ以上を組み合わせてもよい。そして、各発色可変部における発色可変パターンを異ならせることができる。
【０１０６】
例えば、第１実施形態と第３実施形態を組み合わせると、遮蔽板１２２に配した発色可変部は、第１の変色点より低温側で発色して高温側で消色する。そして、窓１２１の表側に配した発色可変部は、第１の変色点より高い第２の変色点より低温側で消色して高温側で発色する構成としてもよい。
【０１０７】
これにより、温度切替室３が低温側に切り替えている間は、遮蔽板１２２は不透明となり、高温側に切り替えられると消色するので、窓１２１から温度切替室３内が視認できる。その結果、使用者に被保存物が保温状態にあることを認識させることができる。そして、高温側に切り替えられてから一定時間経過後にヒータ層１２４に通電することで窓１２１に配した発色可変部が発色し、保温時間が長期にわたることを警告表示することができる。
【０１０８】
上記のように、複数の発色可変部を設けて各々の発色可変パターンを組み合わせることで、温度切替室における温度状態や被保存物の保存状態の移り変わりをより分かりやすく表現することができる。
【産業上の利用可能性】
【０１０９】
本発明によると、温度切替室を有した冷蔵庫等の保存庫に利用することができる。
【図面の簡単な説明】
【０１１０】
【図１】本発明の第１実施形態の冷蔵庫を示す正面図
【図２】本発明の第１実施形態の冷蔵庫を示す右側面図
【図３】本発明の第１実施形態の冷蔵庫を示す右側面断面図
【図４】本発明の第１実施形態の冷蔵庫の温度切替室を示す右側面断面図
【図５】本発明の第１実施形態の冷蔵庫の中段部を示す正面断面図
【図６】本発明の第１実施形態の冷蔵庫の発光可変部を示す側面図
【図７】本発明の第１実施形態の冷蔵庫の発光可変部のヒータ層を示す平面図
【図８】本発明の第１実施形態の冷蔵庫の冷気の流れを示す冷気回路図
【図９】本発明の第２実施形態の冷蔵庫の温度切替室を示す右側面断面図
【図１０】本発明の第２実施形態の冷蔵庫の温度切替室を示す右側面断面図
【符号の説明】
【０１１１】
１    冷蔵庫
２    冷蔵室
３    温度切替室
４    製氷室
５    野菜室
６    冷凍室
９    扉
１２    導入通風路
１３    温度切替室吐出ダンパ
１４    温度切替室送風機
１５    ヒータ
１７    冷却器
１６、２４、３４  温度センサ
１８    冷凍室送風機
１９、２１  戻り通風路
２０    温度切替室戻りダンパ
２２    冷凍室ダンパ
２５    チルド室ダンパ
２８    冷蔵室送風機
３０    温度ヒューズ
３１、３２  冷気通路
３３    背面板
３５    圧縮機
１０５    断熱部
１１０    発色可変部
１１３    照明灯
１１４    照明灯カバー
１２１    窓
１２２    遮蔽板
１２４    ヒータ層
１２５    可逆変色層
【図１】
2007064587.tif 000005
【図２】
2007064587.tif 000006
【図３】
2007064587.tif 000007
【図４】
2007064587.tif 000008
【図５】
2007064587.tif 000009
【図６】
2007064587.tif 000010
【図７】
2007064587.tif 000011
【図８】
2007064587.tif 000012
【図９】
2007064587.tif 000013
【図１０】
2007064587.tif 000014